(57)【要約】【課題】レバー部の操作を規制可能なノズルグリップのホルダを提供する。【解決手段】ホルダ３０は、薬液を噴霧する噴霧機１におけるレバー部２２ａが設けられたノズルグリップ２２を保持する。ホルダ３０は、ノズルグリップ２２を保持する保持本体部３１と、保持本体部３１に設けられた突起部３２とを備える。ノズルグリップ２２は、レバー部２２ａと、レバー部２２ａが揺動可能に取り付けられたグリップ部２２ｂとを有する。突起部３２は、保持本体部３１によってノズルグリップ２２が保持された状態で、レバー部２２ａとグリップ部２２ｂとの間に位置する。【選択図】図２
2019154390.tif 000002
【特許請求の範囲】
【請求項１】
ノズル（２０）のノズルグリップ（２２）に設けられたレバー部（２２ａ）が操作されることによって薬液を噴霧する噴霧機（１）における前記ノズルグリップ（２２）のホルダ（３０）であって、
前記ノズルグリップ（２２）を保持する保持本体部（３１）と、
前記保持本体部（３１）に設けられた突起部（３２）と、
を備え、
前記ノズルグリップ（２２）は、前記レバー部（２２ａ）と、前記レバー部（２２ａ）が揺動可能に取り付けられたグリップ部（２２ｂ）と、を有しており、
前記突起部（３２）は、前記保持本体部（３１）によって前記ノズルグリップ（２２）が保持された状態で、前記レバー部（２２ａ）と前記グリップ部（２２ｂ）との間に位置する、ノズルグリップ（２２）のホルダ（３０）。
【請求項２】
前記保持本体部（３１）に設けられ、前記噴霧機（１）の噴霧機本体部（１０）に対して前記保持本体部（３１）を着脱可能に取り付けるための取付部（３７）をさらに備える、請求項１に記載のノズルグリップ（２２）のホルダ（３０）。
【請求項３】
前記取付部（３７）は、前記取付部（３７）によって前記保持本体部（３１）が前記噴霧機本体部（１０）に取り付けられたときに、前記保持本体部（３１）によって保持された前記ノズルグリップ（２２）に取り付けられたノズルランス（２１）の先端部（２１ａ）が上方を向くように、前記噴霧機本体部（１０）に対して前記保持本体部（３１）を着脱可能に取り付ける、請求項２に記載のノズルグリップ（２２）のホルダ（３０）。
【請求項４】
前記保持本体部（３１）に設けられ、作業者（Ｓ）の腰ベルト（Ｂ）に前記保持本体部（３１）を装着するための装着部（３８）をさらに備える、請求項１又は２に記載のノズルグリップ（２２）のホルダ（３０）。
【請求項５】
前記装着部（３８）は、前記装着部（３８）によって前記保持本体部（３１）が前記腰ベルト（Ｂ）に装着されたときに、前記保持本体部（３１）によって保持された前記ノズルグリップ（２２）に取り付けられたノズルランス（２１）の先端部（２１ａ）が下方を向くように、前記腰ベルト（Ｂ）に前記保持本体部（３１）を装着する、請求項４に記載のノズルグリップ（２２）のホルダ（３０）。
【請求項６】
前記保持本体部（３１）は、ボルト又はナットを回すスパナ部（３３ａ）を有している、請求項１〜５のいずれか一項に記載のノズルグリップ（２２）のホルダ（３０）。
【発明の詳細な説明】
【技術分野】
【０００１】
本発明は、噴霧機に設けられたノズルグリップのホルダに関する。
【背景技術】
【０００２】
例えば、特許文献１には、薬液を噴霧する噴霧機が記載されている。この噴霧機は、ノズルのノズルグリップに設けられたレバー部が操作されることによって、ノズルの先端部から薬液を噴霧する。
【先行技術文献】
【特許文献】
【０００３】
【特許文献１】特開２００４−０６８８９３号公報
【発明の概要】
【発明が解決しようとする課題】
【０００４】
このような噴霧機においては、噴霧を行わないときにノズルグリップを噴霧機本体部に保持させることがある。しかしながら、ノズルグリップが噴霧機本体部に保持された状態であっても、作業者が意図せずレバー部に触れたこと等によって、薬液が噴霧されてしまうことがある。
【０００５】
そこで、本発明は、レバー部の操作を規制可能なノズルグリップのホルダを提供することを目的とする。
【課題を解決するための手段】
【０００６】
本発明は、ノズル（２０）のノズルグリップ（２２）に設けられたレバー部（２２ａ）が操作されることによって薬液を噴霧する噴霧機（１）におけるノズルグリップ（２２）のホルダ（３０）であって、ノズルグリップ（２２）を保持する保持本体部（３１）と、保持本体部（３１）に設けられた突起部（３２）と、を備え、ノズルグリップ（２２）は、レバー部（２２ａ）と、レバー部（２２ａ）が揺動可能に取り付けられたグリップ部（２２ｂ）と、を有しており、突起部（３２）は、保持本体部（３１）によってノズルグリップ（２２）が保持された状態で、レバー部（２２ａ）とグリップ部（２２ｂ）との間に位置する。
【０００７】
このノズルグリップ（２２）のホルダ（３０）では、保持本体部（３１）によってノズルグリップ（２２）が保持されたときに、レバー部（２２ａ）とグリップ部（２２ｂ）との間に突起部（３２）が位置する。これにより、レバー部（２２ａ）がグリップ部（２２ｂ）に近づくように押されたときに、レバー部（２２ａ）の揺動が突起部（３２）によって規制される。このように、ホルダ（３０）は、ノズルグリップ（２２）を保持しているときに、レバー部（２２ａ）の操作を突起部（３２）によって規制することができる。従って、ホルダ（３０）は、ノズルグリップ（２２）を保持しているときに、レバー部（２２ａ）が意図せず操作されることによって薬液が噴霧されてしまうことを防止できる。
【０００８】
ノズルグリップ（２２）のホルダ（３０）は、保持本体部（３１）に設けられ、噴霧機（１）の噴霧機本体部（１０）に対して保持本体部（３１）を着脱可能に取り付けるための取付部（３７）をさらに備えていてもよい。この場合、ホルダ（３０）は、噴霧を行わない場合等において、ノズルグリップ（２２）を噴霧機本体部（１０）に取り付けることができる。
【０００９】
取付部（３７）は、取付部（３７）によって保持本体部（３１）が噴霧機本体部（１０）に取り付けられたときに、保持本体部（３１）によって保持されたノズルグリップ（２２）に取り付けられたノズルランス（２１）の先端部（２１ａ）が上方を向くように、噴霧機本体部（１０）に対して保持本体部（３１）を着脱可能に取り付けてもよい。この場合、ホルダ（３０）は、ノズルランス（２１）の先端部（２１ａ）からノズルランス内に残った薬液が落下することを抑制しつつ、ノズルグリップ（２２）を噴霧機本体部（１０）に取り付けることができる。
【００１０】
ノズルグリップ（２２）のホルダ（３０）は、保持本体部（３１）に設けられ、作業者（Ｓ）の腰ベルト（Ｂ）に保持本体部（３１）を装着するための装着部（３８）をさらに備えていてもよい。この場合、作業者（Ｓ）は、装着部（３８）を用いることによって、ノズルグリップ（２２）を保持する保持本体部（３１）を腰ベルト（Ｂ）に装着することができる。これにより、作業者（Ｓ）は、噴霧を行わない場合には、ノズルグリップ（２２）から手を放して両手で種々の作業を行うことができる。
【００１１】
装着部（３８）は、装着部（３８）によって保持本体部（３１）が腰ベルト（Ｂ）に装着されたときに、保持本体部（３１）によって保持されたノズルグリップ（２２）に取り付けられたノズルランス（２１）の先端部（２１ａ）が下方を向くように、腰ベルト（Ｂ）に保持本体部（３１）を装着してもよい。この場合、ノズルランス（２１）は、作業者（Ｓ）の腰ベルト（Ｂ）の位置から下方に向かって延びる。これにより、装着部（３８）は、作業者（Ｓ）が手によって作業をするときにノズルランス（２１）が作業の邪魔をすることを抑制しつつ、ノズルグリップ（２２）を腰ベルト（Ｂ）に装着できる。
【００１２】
保持本体部（３１）は、ボルト又はナットを回すスパナ部（３３ａ）を有していてもよい。この場合、作業者（Ｓ）は、ホルダ（３０）のスパナ部（３３ａ）を用いて、例えば、ノズルグリップ（２２）に対するノズルランス（２１）の着脱作業等を行うことができる。
【発明の効果】
【００１３】
本発明によれば、レバー部の操作を規制できる。
【図面の簡単な説明】
【００１４】
【図１】実施形態に係る噴霧機の全体構成を示す斜視図である。
【図２】図１のノズルグリップを保持したホルダを示す拡大斜視図である。
【図３】図１のホルダ単体を示す斜視図である。
【図４】図３のホルダを反対側から見た斜視図である。
【図５】図１の噴霧機本体部の取付ガイドを示す斜視図である。
【図６】作業者の腰ベルトにホルダが装着された状態を示す図である。
【発明を実施するための形態】
【００１５】
以下、本発明の噴霧機のノズルグリップを保持するホルダの実施形態について図面を参照しながら説明する。なお、図面の説明において同一の要素には同一の符号を付し、重複する説明を省略する。
【００１６】
図１に示されるように、噴霧機１は、噴霧機本体部１０、ノズル２０、ホルダ３０、及びホース４０を備えている。噴霧機本体部１０は、薬液を収容する薬液タンク１１、及び薬液タンク１１内の薬液をノズル２０に圧送する圧送部１２を備えている。圧送部１２は、電動モータ等の駆動源によって駆動される圧送ポンプを備えている。圧送部１２は、圧送ポンプを駆動させることによって薬液をノズル２０に圧送する。なお、圧送部１２は、電動モータ等の駆動源によって圧送ポンプを駆動することに限定されず、薬液を圧送する構成として種々の構成を採用できる。また、噴霧機本体部１０には、作業者が噴霧機本体部１０を背負うためのベルト（図示せず）が取り付けられている。
【００１７】
ノズル２０は、ホース４０を介して噴霧機本体部１０に接続されている。ノズル２０は、噴霧機本体部１０からホース４０を介して供給された薬液を先端部２１ａから噴霧する。ノズル２０は、ノズルランス２１、及びノズルグリップ２２を備えている。ノズルランス２１は、ノズルグリップ２２に連結される。ノズルグリップ２２には、ホース４０が連結される。ノズルグリップ２２は、薬液の噴霧時にはホルダ３０から取り外され、作業者によって把持された状態で使用される。
【００１８】
図２に示されるように、ノズルグリップ２２は、レバー部２２ａ、及びグリップ部２２ｂを有している。なお、図２は、ノズルグリップ２２からノズルランス２１及びホース４０が取り外された状態が示されている。グリップ部２２ｂは、作業者によって把持される棒状の部材である。グリップ部２２ｂの一方の端部にノズルランス２１が連結され、グリップ部２２ｂの他方の端部にホース４０が連結される。グリップ部２２ｂには、レバー部２２ａが揺動可能に取り付けられている。より詳細には、レバー部２２ａの基端側の端部は、グリップ部２２ｂにおけるノズルランス２１が連結される側の端部近傍に揺動可能に連結されている。ノズルグリップ２２は、レバー部２２ａがグリップ部２２ｂに近づくように作業者によって把持される（レバー部２２ａが操作される）ことによって、ホース４０から送られた薬液をノズルランス２１に送る。これにより、ノズルランス２１の先端部２１ａから薬液が噴霧される。
【００１９】
図２〜図４に示されるように、ホルダ３０は、ノズル２０のノズルグリップ２２を保持する。ホルダ３０は、保持本体部３１、突起部３２、取付部３７、及び装着部３８を備えている。
【００２０】
保持本体部３１は、ノズルグリップ２２を保持する。保持本体部３１は、板状部３３、第１固定片３４、第２固定片３５、及び収容部３６、を備えている。板状部３３は、ノズルグリップ２２が重ねられる板状の部材である。第１固定片３４、第２固定片３５、及び収容部３６は、板状部３３の一方の面から立ち上がるように設けられている。なお、突起部３２は、板状部３３における第１固定片３４等が設けられた側の面から立ち上がるように設けられている。すなわち、突起部３２、第１固定片３４、第２固定片３５、及び収容部３６が、板状部３３の同じ面に設けられている。突起部３２、第１固定片３４、第２固定片３５、及び収容部３６は、板状部３３に重ねられたノズルグリップ２２が脱落しないようにノズルグリップ２２を保持する。
【００２１】
より詳細には、第１固定片３４及び第２固定片３５は、板状部３３における一方の端部に設けられている。第１固定片３４及び第２固定片３５は、図２に示されるように、ノズルグリップ２２がホルダ３０（保持本体部３１）に保持されたときのグリップ部２２ｂの延在方向に沿って配置されている。第１固定片３４及び第２固定片３５には、ノズルグリップ２２がホルダ３０に保持されたときにグリップ部２２ｂが当接する。
【００２２】
収容部３６は、ホルダ３０によってノズルグリップ２２が保持されたときに、ノズルグリップ２２を挟んで第１固定片３４と対向するように設けられている。収容部３６及び第１固定片３４は、ノズルグリップ２２におけるノズルランス２１が連結される側の端部を挟み込むようにしてノズルグリップ２２を保持する。
【００２３】
より詳細には、収容部３６は、板状部３３の角部から立ち上がる壁部３６ａ、及び壁部３６ａの上端部に連結される押え部３６ｂを有している。押え部３６ｂは、壁部３６ａの上端部から板状部３３に対向するように内側に向けて延在している。すなわち、収容部３６は、押え部３６ｂと板状部３３との間にノズルグリップ２２を収容可能な袋状に形成されている。本実施形態では、上述したように第１固定片３４にはノズルグリップ２２のグリップ部２２ｂが当接する。収容部３６には、レバー部２２ａにおけるグリップ部２２ｂに連結される側の端部が収容される。
【００２４】
突起部３２は、ホルダ３０によってノズルグリップ２２が保持されたときに、グリップ部２２ｂを挟んで第２固定片３５と対向するように設けられている。突起部３２及び第２固定片３５は、グリップ部２２ｂを挟み込むようにしてグリップ部２２ｂを保持する。すなわち、突起部３２は、ホルダ３０（保持本体部３１）によってノズルグリップ２２が保持された状態で、レバー部２２ａとグリップ部２２ｂとの間に位置する。これにより、突起部３２は、レバー部２２ａがグリップ部２２ｂに近づくように押されたときに、レバー部２２ａの揺動を規制する。このように、本実施形態において、突起部３２は、レバー部２２ａの揺動を規制する機能に加え、グリップ部２２ｂを保持する機能を有している。
【００２５】
ここで、第２固定片３５は、板状部３３から立ち上がる壁部３５ａ、及び壁部３５ａの上端部に設けられた爪部３５ｂを有している。爪部３５ｂは、壁部３５ａの上端部から突起部３２側に向けて突出している。壁部３５ａと突起部３２との間に、グリップ部２２ｂが収容される。すなわち、爪部３５ｂは、壁部３５ａと突起部３２との間に収容されたグリップ部２２ｂが板状部３３から離反しないようにグリップ部２２ｂを保持する。
【００２６】
なお、第２固定片３５は、弾性変形可能に構成されている。このため、第２固定片３５の壁部３５ａが外側に向けて弾性変形させられることによって、ホルダ３０に対するノズルグリップ２２の装着及びホルダ３０からのノズルグリップ２２の取り外しが可能となる。
【００２７】
図４に示されるように、取付部３７及び装着部３８は、保持本体部３１の板状部３３における第１固定片３４等が設けられる側の面に対して反対側の面に設けられている。取付部３７は、噴霧機本体部１０に設けられた取付ガイド１０ａ（図５参照）に取り外し可能に係合する。このように、取付部３７は、噴霧機本体部１０の取付ガイド１０ａに対して保持本体部３１を着脱可能に取り付けるための部材として機能する。
【００２８】
本実施形態において、噴霧機本体部１０に設けられた取付ガイド１０ａは、薬液タンク１１の側面に設けられ、薬液タンク１１の上下方向に沿って延在している。取付部３７は、取付ガイド１０ａに対して上側から嵌め込まれることによって、取付ガイド１０ａに係合する。
【００２９】
また、取付部３７は、取付部３７によって保持本体部３１が取付ガイド１０ａに取り付けられたときに、ホルダ３０（保持本体部３１）によって保持されたノズル２０のノズルランス２１の先端部２１ａが上方を向くように、噴霧機本体部１０に保持本体部３１を着脱可能に取り付ける。なお、ノズルランス２１の先端部２１ａが上方を向くこととは、ノズルランス２１の先端部２１ａが、ノズルランス２１の基端部２１ｂ（図１参照）よりも上側に位置していればよい。
【００３０】
装着部３８は、図６に示されるように、作業者Ｓの腰ベルトＢに保持本体部３１を装着するための部材である。装着部３８は、作業者Ｓの腰ベルトＢとズボンとの間に差し込まれることによって、保持本体部３１を腰ベルトＢに装着する。
【００３１】
装着部３８は、装着部３８によって保持本体部３１が腰ベルトＢに装着されたときに、ホルダ３０（保持本体部３１）によって保持されたノズル２０のノズルランス２１の先端部２１ａが下方を向くように、腰ベルトＢに保持本体部３１を装着する。なお、ノズルランス２１の先端部２１ａが下方を向くこととは、ノズルランス２１の先端部２１ａが、ノズルランス２１の基端部２１ｂよりも下側に位置していればよい。
【００３２】
具体的には、装着部３８は、板状部３３における第１固定片３４及び収容部３６が設けられた側に対して反対側の端部に設けられている。装着部３８は、板状部３３における第１固定片３４等が設けられた側の端部が下方を向くように、保持本体部３１を腰ベルトＢに装着する。
【００３３】
また、図３等に示されるように、板状部３３における第１固定片３４及び収容部３６が設けられる側の端部には、スパナ部３３ａが設けられている。スパナ部３３ａは、板状の板状部３３の縁部に設けられるとともに、ナットが係合可能な形状の切欠きによって構成されている。スパナ部３３ａは、ノズルランス２１をノズルグリップ２２に取り付けるためのナット２１ｃ（図１参照）に係合可能に形成されてる。なお、スパナ部３３ａは、ナット２１ｃに係合することに限定されず、噴霧機１に設けられたナット２１ｃ以外のナット及びボルトに係合可能に形成されていてもよい。
【００３４】
以上のように、このノズルグリップ２２のホルダ３０では、ホルダ３０によってノズルグリップ２２が保持されたときに、レバー部２２ａとグリップ部２２ｂとの間に突起部３２が位置する。これにより、レバー部２２ａがグリップ部２２ｂに近づくように押されたときに、レバー部２２ａの揺動が突起部３２によって規制される。このように、ホルダ３０は、ノズルグリップ２２を保持しているときに、レバー部２２ａの操作を突起部３２によって規制することができる。従って、ホルダ３０は、ノズルグリップ２２を保持しているときに、レバー部２２ａが意図せず操作されることによって薬液が噴霧されてしまうことを防止できる。
【００３５】
ホルダ３０は、噴霧機本体部１０に対して保持本体部３１を取り付けるための取付部３７を備えている。これにより、ホルダ３０は、噴霧を行わない場合等において、ノズルグリップ２２を噴霧機本体部１０に取り付けることができる。
【００３６】
ホルダ３０の取付部３７は、ノズルランス２１の先端部２１ａが上方を向くように、保持本体部３１を噴霧機本体部１０に取り付ける。これにより、ホルダ３０は、ノズルランス２１の先端部２１ａからノズルランス２１内に残った薬液が落下することを抑制しつつ、ノズルグリップ２２を噴霧機本体部１０に取り付けることができる。
【００３７】
ホルダ３０は、作業者Ｓの腰ベルトＢに保持本体部３１を装着するための装着部３８を備えている。この場合、作業者Ｓは、装着部３８を用いることによって、ノズルグリップ２２を保持する保持本体部３１を腰ベルトＢに装着することができる。これにより、作業者Ｓは、噴霧を行わない場合には、ノズルグリップ２２から手を放して両手で種々の作業を行うことができる。
【００３８】
ホルダ３０の装着部３８は、ノズルランス２１の先端部２１ａが下方を向くように、作業者Ｓの腰ベルトＢに保持本体部３１を装着する。この場合、ノズルランス２１は、作業者Ｓの腰ベルトＢの位置から下方に向かって延びる。これにより、装着部３８は、作業者Ｓが手によって作業をするときにノズルランス２１が作業の邪魔をすることを抑制しつつ、ノズルグリップ２２を腰ベルトＢに装着できる。
【００３９】
ホルダ３０は、スパナ部３３ａを有している。この場合、作業者Ｓは、ホルダ３０のスパナ部３３ａを用いて、ノズルグリップ２２に対するノズルランス２１の着脱作業等を行うことができる。
【００４０】
以上、本発明の実施形態について説明したが、本発明は、上記実施形態に限定されるものではない。例えば、ノズルグリップ２２を保持する保持本体部３１の形状は、図３等に示す形状に限定されない。保持本体部３１は、ノズルグリップ２２を保持できる構成であればよい。突起部３２は、グリップ部２２ｂに当接してノズルグリップ２２を保持しなくてもよい。突起部３２は、レバー部２２ａの揺動を規制できればよい。
【００４１】
ホルダ３０は、取付部３７を有していなくてもよい。同様に、ホルダ３０は、装着部３８を有していなくてもよく、スパナ部３３ａを有していなくてもよい。また、スパナ部３３ａが設けられる位置は、図３等に示される位置に限定されない。
【符号の説明】
【００４２】
１…噴霧機、１０…噴霧機本体部、２０…ノズル、２１…ノズルランス、２１ａ…先端部、２２…ノズルグリップ、２２ａ…レバー部、２２ｂ…グリップ部、３０…ホルダ、３１…保持本体部、３２…突起部、３３ａ…スパナ部、３７…取付部、３８…装着部、Ｂ…腰ベルト、Ｓ…作業者。
【図１】
2019154390.tif 000003
【図２】
2019154390.tif 000004
【図３】
2019154390.tif 000005
【図４】
2019154390.tif 000006
【図５】
2019154390.tif 000007
【図６】
2019154390.tif 000008